(57)【要約】本発明は、ディスプレイスクリーン上のレーザポインタの投影のような表面上の電磁ビームの投影の位置の検出に関する。表面の境界にある３以上の異なる位置でのビーム投影からの電磁放射線の強度を測定し、測定された強度を処理して、表面上の電磁ビーム投影の中央位置を決定することが提案される。強度は、幾つかの低コストの受信機のみを使用して測定される。したがって、光アッドオン又は複数のフォトダイオードをもつ高価な位置検出手段が必要とされない。
2009517755.tif 000002
【特許請求の範囲】
【請求項１】
表面上の電磁ビームの投影の位置を検出する装置であって、
前記電磁ビームの投影から電磁放射線を受信する少なくとも３つの受信手段であって、前記表面の境界にある異なる位置に配置される少なくとも３つの受信手段と、
前記少なくとも３つの受信手段により受信される電磁放射線の強度を決定する強度決定手段と、
決定された強度を処理することで、前記表面上の前記電磁ビームの投影の中央位置を決定する位置検出手段と、
を有する装置。
【請求項２】
４以上の受信手段が設けられる、
請求項１記載の装置。
【請求項３】
前記位置検出手段は、予め定義されたビーム強度プロファイルに基づいて前記決定された強度から前記表面の電磁ビームの投影の前記中央位置を計算する、
請求項１記載の装置。
【請求項４】
前記位置検出手段は、予め定義されたビーム強度プロファイルに基づいて前記決定された強度から前記表面上の電磁ビームの投影の中央位置を計算するためにカーブフィッティングアルゴリズムを実現する、
請求項３記載の装置。
【請求項５】
複数の予め測定された値及び対応する位置をもつルックアップテーブルが補間手段と共に設けられ、
前記位置検出手段は、前記表面上の電磁ビームの投影の中央位置を計算するために前記ルックアップテーブルから前記決定された強度に対応する値をロードする、
請求項３記載の装置。
【請求項６】
予め定義されたビーム強度プロファイルは、円形対称プロファイルである、
請求項３記載の装置。
【請求項７】
前記位置検出手段は、前記決定された強度についてビーム強度プロファイルを決定し、決定されたビーム強度プロファイルと、前記予め定義されたビーム強度プロファイルからの決定されたビーム強度プロファイルのずれから１又は２次元における傾斜角を計算することで、前記表面上の電磁ビームの傾き角を決定する、
請求項６記載の装置。
【請求項８】
前記予め定義されたビーム強度プロファイルは、ガウス曲線プロファイルである、
請求項３乃至６の何れか記載の装置。
【請求項９】
前記予め定義されたビーム強度プロファイルは、前記プロファイルの真中において更なる狭い幅で高い強度のスポットをもつ低い強度のガウス曲線プロファイルである、
請求項８記載の装置。
【請求項１０】
前記少なくとも３つの受信手段は、受信された電磁放射線の異なる波長に対して感度が高く、前記強度決定手段は、異なる波長をもつ電磁放射線の決定された強度を異なる電磁ビームの位置に割り当てる、
請求項１乃至９の何れか記載の装置。
【請求項１１】
前記少なくとも３つの受信手段は、強度変調された電磁ビームの投影から電磁放射線を受け、前記強度決定手段は、異なる強度変調による前記電磁放射線の決定された強度を異なる電磁ビームの位置に割り当てる、
請求項１乃至９の何れか記載の装置。
【請求項１２】
前記電磁ビームは可視光のビームであり、前記受信手段は可視光に対して感度が高い、
請求項１乃至１１の何れか記載の装置。
【請求項１３】
前記電磁ビームはレーザビームであり、前記受信手段はフォトダイオードである、
請求項１２記載の装置。
【請求項１４】
前記レーザビームは、人間の裸眼では殆ど見えない低い強度を有する、
請求項１３記載の装置。
【請求項１５】
前記レーザビームは、目に見ることのできない、赤外線の波長を使用する、
請求項１２記載の装置。
【請求項１６】
前記電磁ビームは無線波ビームであり、前記受信手段は無線周波数に対して感度が高いアンテナである、
請求項１乃至１１の何れか記載の装置。
【請求項１７】
前記表面はディスプレイスクリーンであり、前記受信手段は前記ディスプレイスクリーンのエッジに配置される、
請求項１乃至１６の何れか記載の装置。
【請求項１８】
前記ディスプレイスクリーンは矩形であり、前記少なくとも３つの受信手段のそれぞれは、前記ディスプレイスクリーンの異なるコーナに配置される、
請求項１７記載の装置。
【請求項１９】
前記ディスプレイスクリーンはマルチビューディスプレイスクリーンであり、前記強度決定手段は、異なる電磁ビームから前記受信手段により受信された電磁放射線の強度を決定し、前記位置検出手段は、決定された強度を処理することで前記マルチビューディスプレイスクリーン上の異なる電磁ビームのそれぞれの投影の中央位置を決定する、
請求項１７記載の装置。
【請求項２０】
ディスプレイスクリーンと、前記ディスプレイスクリーン上の電磁ビームの投影の位置を検出するための請求項１乃至１９の何れか記載の装置とを有するディスプレイスクリーンユニット。
【請求項２１】
前記ディスプレイスクリーン上の電磁ビームの投影の検出された位置に基づいて当該ディスプレイスクリーンユニットの前記ディスプレイスクリーンに表示されるカーソルの位置を制御するコンピュータを更に有する、
請求項２０記載のディスプレイスクリーンユニット。
【請求項２２】
表面上で電磁ビームの投影の位置を検出する方法であって、
前記表面の境界にある異なる位置に配置される少なくとも３つの受信手段により、前記電磁ビームの投影から電磁放射線が受信され、
強度決定手段により、前記受信手段により受信された電磁放射線の強度が決定され、
決定された強度を処理することで、位置検出手段により、前記表面上の電磁ビームの投影の中央位置が決定される、
ことを特徴とする方法。
【発明の詳細な説明】
【技術分野】
【０００１】
本発明は、表面上の電磁ビームの投影の位置の検出に関し、特に、コンピュータ又はコンシューマエレクトロニクスディスプレイスクリーンのようなディスプレイスクリーンでのカーソル制御投影の位置の検出に関する。
【背景技術】
【０００２】
グラフィカルユーザインタフェース（ＧＵＩ）を表示するディスプレイスクリーン上のカーソルは、たとえばレーザポインタにより制御される。レーザポインタは、レーザビームを発生し、このレーザビームは、ディスプレイスクリーンに向けられ、ディスプレイスクリーンの表面にレーザビームの投影としてレーザスポットを生成する。このレーザスポットは、カーソルコントロールに対応し、このカーソルコントロールは、表示されるＧＵＩにおけるカーソルの位置及び動きを判定する役割を果たす。レーザスポットの位置は、ディスプレイのエッジに位置されるフォトダイオードにより決定される。しかし、これは、フォトダイオードにレーザスポットの放射線が向けられることを必要とする。典型的に、これは、透明なフロントプレートから通常構成されるディスプレイスクリーンへのアッドオン光学系により達成され、この透明なフロントプレートは、ディスプレイスクリーンの前に搭載され、ディスプレイスクリーンのエッジに位置されるフォトダイオードに向けてレーザ放射線を操縦するその表面上の微小押し込みを有する。かかる透明なフロントプレートにより、著しいコストが追加され、更に、ディスプレイスクリーンの基本となる、いわゆるスクリーンのフロントの性能が低下する。
【０００３】
米国特許第２００５／０１０３９２４Ａ１は、位置検出装置（ＰＤＤ）及びレーザポインティングデバイス（ＬＰＤ）をもつ連続エイムポイントトラッキングシステムを開示している。ＬＰＤは、ディスプレイ全体を通して、ＰＤＤに延びる赤外線の十字架を投影する。一様に配置されるフォトダイオードは、ＰＤＤのエッジで位置され、ディスプレイを囲むようにフレームを形成する。フォトダイオードは、赤外線の十字架を連続的に検出する。したがって、それらの信号は、ディスプレイ上の十字架の中央位置の座標を抽出することができる。アッドオン光学系が必要とされないが、多数のフォトダイオード又は４つのストリップ状の位置検出装置を必要とするので、このソリューションは費用がかかる。
【発明の開示】
【発明が解決しようとする課題】
【０００４】
本発明の目的は、先に定義された問題を回避するディスプレイスクリーンのような表面上の電磁ビームの投影の位置を検出する装置及び方法を提供することにある。
【課題を解決するための手段】
【０００５】
上記目的を達成するため、本発明は、ある表面上の電磁ビームの投影の位置を検出する装置を提供するものである。本装置は、以下の特徴を有する。少なくとも３つの受信機は、電磁ビームの投影からの電磁放射線を受信する少なくとも３つの受信機。これら受信機は、表面の境界で異なる位置に配置される。強度判定手段は、受信機により受信された電磁放射線の強度を決定する。位置検出手段は、決定された強度を処理することで、表面上の電磁ビームの投影の中心位置ｘcを決定する。
【０００６】
上述された目的を達成するため、本発明は、ある表面上の電磁ビームの投影の位置を検出する方法を更に提供するものであり、本方法は、以下の特徴を含む。電磁ビームの投影からの電磁放射線は、表面の境界で異なる位置に配置される少なくとも３つの受信機により受信される。受信機により受信された電磁放射線の強度は、強度決定手段により決定される。表面上の電磁ビームの投影の中心位置ｘcは、決定された強度を処理することで位置検出手段により決定される。
【０００７】
本発明に係る特徴は、光アッドオンシステム、多数のフォトダイオード又は高価な位置検出装置よりも低いコストで本発明の装置及び方法を実現することができるという利点を提供する。言い換えれば、本発明は、高価且つ性能を低下させるエレメントを必要としない低コストの実現である。本発明は、レーザビームのケースでの幾つかのフォトダイオード、又は無線波ビーム検出のケースでのアンテナのような標準的なコンポーネントを使用して実現される場合がある。これにより、本発明に基づくシステムが簡略化され、それらのロバスト性が改善され、最終的にそれらのコストが低減される。
【０００８】
なお、本明細書で使用される用語「電磁ビーム」は、広帯域の周波数レンジにおける電磁放射線のビームを含む。たとえば、電磁ビームは、レーザポインタにより発生されるレーザビーム、若しくは、既存の赤外線又は無線周波（ＲＦ）に基づいたリモートコントロール（ＲＣ）デバイスにより使用されるような赤外線ビーム又は無線波ビームである。
【０００９】
本明細書で使用される用語「ビーム」は、表面の境界にある異なる位置での幾つかの強度測定によりビームの中心が決定されるか又は少なくとも予測されるように、その形状が既知であるビームとして理解される（電磁放射線の強度は、光軸から横方向の関数である）。したがって、ビームは、表面のエッジエリアがビームにより少なくとも僅かに照射されるような幅をもつ電磁ビームを意味する。典型的に、電磁ビームは、レーザポインティング装置により生成されるか、又は上述されたＲＣデバイスは、本発明のために使用される場合がある。
【００１０】
用語「電磁ビームの投影」は、ビームが向けられる表面に現れるビームのスポットを意味する。このスポットは、電磁放射線の強度ピークをもつセンタポイントを有する。このセンタポイントは、センタポイントの位置の決定のために本発明により分析される場合がある低い強度の電磁放射線の周辺により囲まれる。典型的に、スポットを通した強度の分布及びビームにより照明されるエリアは、用語「強度プロファイル」とも本明細書で呼ばれる。表面の平面における強度プロファイルは、円形である場合があるビーム断面プロファイルに依存し、及び表面のビームの傾き角度に依存する。傾き角がほぼ０°である場合、表面の平面における強度プロファイルは、円形断面のビームのプロファイルのケースで対称な実質的な円である。さらに、強度プロファイルは、強度減少のoff  axis、すなわちビームの光軸からの距離の増加に伴う強度の減少に依存する。レーザビームは、典型的に、ビームの光軸からの距離の増加につれてガウス曲線の方式で強度が減少することを意味する、ガウス曲線の形状をもつ強度プロファイルを有する。ＲＣ装置により発生されるビームは、ガウス曲線の形状のような強度プロファイルを有さない。しかし、本発明のため、係る強度プロファイルは、ガウス曲線により一次に近似される。
【００１１】
用語「センタポイントｘc」は、文脈に依存して、１次元及び２次元の幾何学的形状の両者において理解される。したがって、「センタポイントｘc」は、ｘ軸又はｘ軸及びｙ軸の両者の何れかを示す。
【００１２】
用語「電磁放射線を受信する受信機」は、検出されるべき電磁放射線に感度が高い光検出器又はフォトダイオード、若しくはビーム発生装置として使用されるＲＦ  ＲＣのケースにおけるＲＦ感知検出器のような受信装置を含む。
【００１３】
用語「強度決定手段」は、受信機から受信された信号又はデータから電磁放射線の強度を決定可能な手段を有する。１以上の受信機及び強度決定手段は、受信された電磁放射線により発生された電流又は電圧を強度出力信号に変換する回路を含む受信機としての光検出器といった、１つのユニットとして実現される場合がある。代替的に、強度決定手段は、受信された電磁放射線に対応する電流又は電圧のような受信機からの信号を受信し、受信された信号を処理して該信号をそれぞれの強度に変換する個別のユニットである。好ましくは、強度決定手段は、デジタル的なやり方で信号又はデータを内部的に処理し、受信された信号又はデータの強度データへの変換を実行するために実現されるアルゴリズムを実行する幾つかの計算パワーを含む。
【００１４】
用語「位置検出手段」は、決定された強度を処理することで表面上の電磁ビームの投影の中央の位置ｘcを決定可能な手段である。好ましくは、位置検出手段は、決定された強度から中央の位置を計算するアルゴリズムを有する。このアルゴリズムは、電磁ビームの光軸から横方向の距離に依存する強度の関数の実現を含むことが好ましい。この関数は、先に説明されたビームの強度プロファイルに対応し、所定の強度が決定されるビームの（光軸に対応する）中央のポイントからの位置の距離を計算することができる。さらに、アルゴリズムは、決定された強度を処理することで決定された中央のポイントからの既知の位置のうちの少なくとも３つの測定された距離から中央のポイントの位置を決定する。少なくとも３つの既知の位置は、電磁放射線について少なくとも３つの受信機の位置である。これらのデータを考慮して、中央のポイントは、以下に詳細に説明されるように幾何学的な計算により決定される。なお、上述されたアルゴリズムは、ソフトウェア又はハードウェアで実現される。
【００１５】
本発明の基本的な考えは、電磁ビームの投影からの電磁放射線の強度測定により表面上又はほぼ表面の既知の位置からの投影の中央のポイントの幾つかの距離を決定し、決定された距離により中央のポイントの位置を決定することで、ある表面上の電磁ビームの投影の位置を検出することである。
【００１６】
高い精度で表面上の電磁ビームの投影の中央の位置を決定するため、電磁ビームの投影から電磁放射線を受信するために４以上の受信機を提供することは都合がよい。
【００１７】
位置検出手段は、予め定義されたビーム強度プロファイルに基づいて、決定された強度からの表面上のビームの投影の中央の位置ｘcを計算する。強度プロファイルは、ビームの現実の強度プロファイルと整合するか、正確な位置検出を達成するために現実の強度プロファイルの少なくとも近似となる。
【００１８】
たとえば、位置検出手段は、予め定義されたビーム強度プロファイルに基づいて、決定された強度から表面上のビームの投影のセンタ位置ｘcを計算するカーブフィッティングアルゴリズムを実現する。
【００１９】
また、複数の予め測定された値及び対応する位置をもつルックアップテーブルは、補間手段と共に提供される場合があり、位置検出手段は、表面上のビームの投影の中央の位置ｘcを計算するため、ルックアップテーブルから決定された強度に対応する値をロードする。
【００２０】
典型的に、予め定義されたビーム強度プロファイルは、円形の対称なプロファイルである。かかるプロファイルは、位置が角度のプロファイルのような別のプロファイルよりも容易に検出することができるという利点を有する。
【００２１】
表面上のビームの傾きの角度の決定を可能にするため、位置検出手段は、決定された強度についてビーム強度プロファイルを決定し、決定されたビーム強度プロファイルから１次元又は２次元における傾きの角度及び予め定義されたビーム強度のプロファイルからのその逸脱を計算する。たとえば、予め定義された強度プロファイルが円形の対称なプロファイルである場合、予め決定された楕円のプロファイルは、所定の傾き角を示す。この傾き角は、たとえば決定された強度プロファイルと記憶されたプロファイル及びそれらの対応する傾き角を整合させることで、予め定義された強度プロファイルからの検出された強度プロファイルの逸脱から導出される。
【００２２】
好ましくは、予め定義されたビーム強度プロファイルは、ガウス曲線のプロファイルである。ガウス曲線のプロファイルは、それがレーザビームのそれのような典型的なビーム強度プロファイルと整合するという利点を有する。しかし、大部分のプロファイルがガウス曲線のプロファイルで近似されるので、異なる強度プロファイルが処理される場合がある。
【００２３】
本発明の好適な実施の形態によれば、予め定義されたビーム強度プロファイルは、プロファイルの中央において小さな幅の高い強度スポットをもつ低い強度のガウス曲線のプロファイルである。これは、ビームが可視レンジにおいてレーザ又は光ビームである場合に、ユーザが表面上のビームを容易に認識することができるという利点を有する。
【００２４】
本発明の更なる実施の形態によれば、受信機は、受信された電磁放射線の異なる波長に対して感度が高い場合があり、強度決定手段は、異なる電磁ビームの位置に対して異なる波長をもつ電磁放射線の決定された強度を割り当てる場合がある。これは、異なる視野角の下で異なる画像を表示するマルチビューディスプレイスクリーンとの組み合わせにおいて特に有効であり、それぞれのユーザがそれら自信のリモート制御装置を使用してマルチビューディスプレイと対話し、異なるユーザが同じディスプレイスクリーンを使用することができる。
【００２５】
異なるユーザが同じディスプレイスクリーンを使用するのを可能にするため、受信機は、強度変調された電磁ビームの投影から電磁放射線を受信し、強度決定手段は、異なる強度変調による電磁ビームの決定された強度を異なる電磁ビームの位置に割り当てる。言い換えれば、ディスプレイスクリーンのカーソルを制御するために電磁ビームを使用するそれぞれのユーザは、彼／彼女自身の特定の強度変調されたビームを有する。
【００２６】
本発明の実施の形態によれば、電磁ビームは、可視光のビームであり、受信機は、可視光に対して感度が高い。これは、ユーザが表面上の電磁ビームの投影を見ることができるという利点を有する。
【００２７】
本発明の好適な実施の形態によれば、電磁ビームはレーザビームであり、受信機はフォトダイオードである。レーザビームは、レーザポインテイングデバイスのために一般に使用されており、したがって一般的かつ安価な装置である。あたかも誰かがスクリーン上でフラッシュライトを当てているかのような、表面上にレーザビームにより生成される大きな円形のフラッドライトを回避するため、レーザビームは、人間の裸眼に殆ど見えないようにするように低い強度を有する。代替的又は付加的に、レーザビームは、可視ではなく、特に赤外線の波長を有する。
【００２８】
代替的に、レーザビームは、可視ではなく、人間の裸眼に見えないようにする赤外線の波長を使用することが好ましい。
【００２９】
しかし、本発明の更なる実施の形態によれば、電磁ビームは、無線波ビームであり、受信機はアンテナである。無線波ビームは、レーザビームとしてビームを通過するオブジェクトにより容易に乱されないという利点を有する。さらに、ＲＦに基づいたリモートコントロール装置は、実際に広く使用されており、したがって本発明は、これらのタイプのリモートコントロールの使用と完全に互換性がある。
【００３０】
本発明は、ディスプレイスクリーンに適用されることが好ましく、したがって、表面はディスプレイスクリーンであって、受信機がディスプレイスクリーンのエッジに位置される場合がある。たとえば、ディスプレイスクリーンは、コンピュータ又はコンシューマエレクトロニクスデバイスを制御するＧＵＩを表示するコンピュータ又はコンシューマエレクトロニクのディスプレイスクリーンである。受信機は、ユーザにとって見えないように、ディスプレイスクリーンのフレームで統合される。
【００３１】
典型的に、ディスプレイスクリーンは、矩形の形状を有し、受信機のそれぞれは、ディスプレイスクリーンの異なるコーナに配置される。これは、正確な位置検出が可能であるという利点を有する。しかし、ディスプレイスクリーンは、本発明の範囲から逸脱することなしに、円形又は楕円の形状のような別の形式を有する場合がある。
【００３２】
本発明は、マルチビューディスプレイスクリーンに有利にも適用される。したがって、ディスプレイスクリーンは、マルチビューディスプレイスクリーンである場合があり、強度決定手段は、異なる電磁ビームから受信機により受信される電磁放射線の強度を決定し、位置検出手段は、決定された強度を処理することでマルチビューディスプレイスクリーン上の異なる電磁ビームのそれぞれの投影の中央の位置ｘcを決定する。
【００３３】
更なる態様によれば、本発明は、ディスプレイスクリーンと、ディスプレイスクリーン上の電磁ビームの投影の位置を検出するための本発明の上述された実施の形態にかかる装置とを有するコンピュータモニタ又はテレビジョンスクリーンのようなディスプレイスクリーンユニットに関する。
【００３４】
ディスプレイスクリーンユニットは、ディスプレイスクリーン上の電磁ビームの投影の検出された位置に基づいてディスプレイスクリーンユニットのディスプレイスクリーンに表示されるカーソルの位置を制御するコンピュータを更に有する。したがって、カーソルを制御するために外部計算ユニットを必要としない自発ユニットが形成される。たとえば、このインタフェースを通してユニットが外部装置からビデオ信号を受信するインタフェースを介して、幾つかのコンピュータ又はコンシューマエレクトロニクスデバイスを制御するために係るユニットが使用される。
【００３５】
本発明のこれらの態様及び他の態様は、以下に記載される実施の形態を参照して明らかにされるであろう。  
本発明は、例示的な実施の形態を参照して以下に更に詳細に記載される。しかし、本発明は、例示的な実施の形態に限定されるものではない。
【発明を実施するための最良の形態】
【００３６】
以下、機能的に類似又は同一のエレメントは、同じ参照符号を有する。  
図１は、プレーンディスプレイ又はスクリーンのそれぞれのような表面上の典型的な電磁ビームの投影の電磁放射線の強度の推移を示す。強度の推移は、中央位置ｘcからの横方向の距離ｘの関数ｙである。典型的に、レーザポインタにより発せられるビームは、近似的にガウス曲線の形状を有する。これにより、図１に示されるような近似的なガウス曲線のプロファイルをもつ強度関数となる。しかし、別の形状をもつ電磁ビームは、横方向の距離ｘの関数として強度の推移が既知であって、幾つかの強度の測定にフィットすることができる限り、本発明の目的について適用される場合がある。
【００３７】
中央のポイントｘcは、最も高い強度をもつレーザビームの投影の中央である。強度の推移は、プレーンディスプレイへの電磁ビームの入射角が約０°である場合、中央のポイントｘcの周りで円形対称である。入射角が０°から離れると、強度の推移が更に非対称又は楕円対称になる。しかし、電磁ビームのソースの距離が、ビームが投影される表面の寸法よりも非常に大きい場合、図１に示される強度の推移の近似は、本発明の目的のために十分である。
【００３８】
図１では、強度の推移の黒のドットは、３つの異なる位置での測定された強度を表す。これは、図２を説明するときに更に詳細に以下に説明される。図１は、等強度のラインＩＬ０，ＩＬ１，ＩＬ２，ＩＬ３，ＩＬ４，ＩＬ５及びＩＬ６を示す。これらのラインの強度は、ほぼ等しい。ラインは、図３に示されるように、中央ポイントｘcの周りの円に対応する。中央の位置ｘcの周りの電磁放射線の強度は、図示及び既知の関数ｙに従って中央位置ｘcからの距離につれて減少するので、中央のポイントｘcの周りの異なるロケーションでの電磁放射線の強度の測定から、表面上の電磁ビーム投影の位置を導出することは可能である。このことは、図２に関して以下に説明される。
【００３９】
図２は、ディスプレイ又はスクリーンのような矩形の平面の表面１０を示す。矩形の表面１０のコーナでは、中央のポイントｘcとの電磁ビーム投影からの電磁放射線の受信機ＰＵＬ，ＰＵＲ，ＰＬＬ及びＰＬＲが位置される。検出されるべき電磁放射線が光波のレンジ内にある場合、受信機はフォトダイオードである。検出されるべき電磁放射線が無線波のレンジ内にある場合、受信機は無線周波アンテナである。なお、ディスプレイ上のカーソルを制御する電磁ビームは、レーザ光ビーム又は（レーザビームに類似したフォーカスされたビームをもつ）無線波ビームである場合がある。
【００４０】
電磁ビームの投影の電磁放射線の等強度のラインは、中央のポイントｘｃの周りの円である。それぞれの受信機ＰＵＬ，ＰＵＲ，ＰＬＬ及びＰＬＲからの中央のポイントｘcの距離は、受信機から中央のポイントｘcへの破線の直線により表される。中央のポイントｘcはディスプレイ１０の表面の真中の点から外れて存在するので、それぞれの受信機ＰＵＬ、ＰＵＲ、ＰＬＬ及びＰＬＲは、中央ポイントｘcから異なる距離を有する。ディスプレイ１０の右上コーナにおける受信機ＰＵＲは、中央ポイントｘcに最も近く、ディスプレイ１０の左下コーナにおける受信機ＰＬＬは、中央のポイントｘcに対して最も長い距離を有する。したがって、それぞれの受信機ＰＵＬ，ＰＵＲ，ＰＬＬ及びＰＬＲは、電磁ビームの投影の電磁放射線の異なる強度を測定する。図２に示される状況における測定された強度は、ＩPLL＜ＩPUL＜ＩPLR＜ＩPURのように振舞い、ここでＩXXXは、受信機の位置XXXでの測定された強度を意味する。中央ポイントｘcからの横方向の距離ｘの関数としての中央ポイントｘcでの強度及び強度の推移が既知である場合（たとえば図１に示される推移）、所定の受信機の位置での測定された強度は、中央のポイントｘcからの受信機の位置の対応する距離に変換される。中央ポイントｘcの位置は、破線による円のセグメントにより図２に部分的に示される円ＣPUL，ＣPUR，ＣPLL及びＣPLRの交点にある。それぞれの円の半径は、それぞれの受信機により測定される強度から導出される距離に対応する。したがって、半径に対応する距離にそれぞれ測定された強度を変換し、その半径をもつ円の交点を決定することで、中央のポイントｘcの位置が決定される。
【００４１】
ビームの光軸からの横方向の距離ｘの関数として強度ｙが未知である場合、すなわち異なる製造業者又はブランドからの既存のリモート制御装置が使用されるケースであるような電磁ビームの正確な形状が未知である場合、本発明は、位置検出を「較正“calibrating”」した後に適用される。以下のアルゴリズムは、位置検出を「較正」した後に使用される。電磁ビームは、たとえば平面の表面１０の左上コーナにおける受信機ＰＵＬといった受信機に向けられる。次いで、電磁ビーム又は平面の表面１０の投影は、たとえば表面１０の右下コーナにおける受信機ＰＬＲといった別の受信機に表面１０を通して移動される。移動の間、全ての受信機ＰＵＬ，ＰＵＲ，ＰＬＬ及びＰＬＲの信号は、測定され、記録される。これらの測定の間、ビーム形状の予測が行われる。この予測は、電磁ビームの中央ポイントｘcから単一の受信機の距離を決定するために使用される。したがって、本発明は、電磁ビームの形状をほぼ生成するポインティングデバイスで使用される。このキャリブレーションアルゴリズムは、ビーム形状の予測を可能にし、これは、上述された中央位置を発見する手段が使用されるように、ポインティングデバイスにより発生されるビーム形状の大部分はガウス曲線の形状により近似されるので、本発明の目的のために十分である。したがって、電磁ビームの水平及び垂直方向における形状の半分の幅の大まかな推定が十分な場合がある。
【００４２】
３つの測定は、特に、１方向に沿った中央ポイントｘcの明確な決定を可能にする。２次元での中央ポイントｘcの位置を正確に決定するため、ディスプレイ上のカーソルの制御のために必要とされるように、３つの異なる位置の代わりに４つの異なる位置での受信機からの測定が使用される場合がある。受信機は、矩形のディスプレイの４つの異なるエッジ又はコーナで位置される。さらに、受信機の感度は、電磁ビームが投影される表面の寸法及び電磁放射線の強度に関して選択される。言い換えれば、表面の一方の端にあるビームの投影は、受信機により測定又は検出されるために十分に高い他の反対の端にある電磁放射線の強度となることが保証される。経験則として、投影されたビームの電磁放射線の強度は余りに高く、ビームの中央ポイントから最も長い距離をもつ受信機は、測定される電磁放射線を受ける。ビーム投影の電磁放射線によりカバーされるレンジは、ビーム幅により調節される。したがって、それは、表面からのビームソースの距離に依存して自動的に、又は手動的に、ビーム幅を調節するのを可能にするビームソースを使用するために役立つ。
【００４３】
図３は、幾つかのウィンドウ１２，１４及び１６をもつＧＵＩを表示するコンピュータディスプレイスクリーン１０を示す。ＧＵＩは、ポインティングデバイスとして使用されるレーザポインタ２０により制御される矢印の形式でカーソル１８を更に含む。レーザポインタ２０は、中央ポイントｘcでのレーザ光ビーム２２の投影を生成するため、ディスプレイスクリーン１０に向けられるフォーカスされたレーザ光ビーム２２を生成する（ビームの光軸はシンプルな破線で表される）。レーザ光ビームの投影は、中央ポイントｘcで又は中央ポイントの近くだけでなく、レーザポインタ２０からスクリーン１０への外側の破線で示されるように中央ポイントｘcからの長い距離でレーザ光放射線を生成する。生成された放射線は、中央ポイントｘcの周りの等強度の円ＩＬ０〜ＩＬ６により表される。
【００４４】
ディスプレイ１０の４つのエッジのそれぞれの真中で又は真中の近くで、レーザビーム２２からの電磁放射線の受信機として機能するフォトダイオード２４，２６，２８又は３０が配置される。フォトダイオード２４，２６，２８及び３０は、投影されるレーザ光ビームの強度の測定手段として機能し、したがって、受信されたレーザ光放射線の強度を表す電流又は電圧に受信されたレーザ光の放射線を変換する。それぞれのフォトダイオード２４，２６，２８及び３０のそれぞれから測定された電流又は電圧は、距離決定手段３２に供給され、距離決定手段は、それぞれのフォトダイオード２４，２６，２８又は３０により測定された強度により、レーザ光ビームの投影の中央ポイントｘcからのフォトダイオード２４，２６，２８又は３０の距離を決定する。たとえば、距離決定手段３２は、図１に示されるように、距離ｘを通した強度の関数ｙで距離ｘを計算するアルゴリズムを実現する。したがって、機能ｙは、距離決定手段３２で実現される。
【００４５】
それぞれのフォトダイオード２４，２６，２８及び３０と中央ポイントｘcとの間の決定された距離は、距離決定手段３２から位置検出手段３４に供給される。位置検出手段３４は、受信された距離からディスプレイスクリーン１０上の中央ポイントｘcの位置を計算する。このタスクを実行するため、位置検出手段３４は、アルゴリズムを実現し、このアルゴリズムは、平面上の４つの異なる既知の位置により所定のポイントの４つの既知の距離から、ディスプレイ１０のような平面上の所定のポイントの位置を決定する。このアルゴリズムは、図２に関して概説されたように、受信された距離に対応する半径を持つ４つの円の交点及びフォトダイオード２４，２６，２８及び３０の位置の真中のポイントを決定する方法に基づく計算を実行する。中央のポイントｘcの計算された位置は、ディスプレイスクリーン１０でＧＵＩを制御するコンピュータ３６に供給される。コンピュータ３６は、ディスプレイスクリーン１０で表示されるＧＵＩでコンピュータプログラムを実行する中央処理ユニットＣＰＵを有する。さらに、コンピュータ３６は、グラフィックス処理ユニットＧＰＵを有し、このＧＰＵは、ディスプレイ１０で表示されるＧＵＩを制御するグラフィックス出力信号を発生する。手段３２により計算される位置は、カーソル１８の実際の位置としてコンピュータプログラムにより処理され、ディスプレイスクリーン１０又はＧＵＩのそれぞれでの実際に計算されたカーソルの位置にカーソル１８を移動するためにコンピュータにより処理される。
【００４６】
本発明は、低コストで実現され、フロントオブスクリーンパフォーマンスを低下させるディスプレイスクリーンへの光アッドオンを必要としないという主要な利点を有する。本発明は、マルチビューディスプレイコンフィギュレーション、角度の感度、他の特徴に拡張される場合もある。
【００４７】
本発明の機能、特に投影の測定された強度からの表面の電磁ビームの投影の位置の検出は、ハードウェア又はソフトウェアにより実行される。ソフトウェアでの実現の場合、１つ又は多数の標準的なマイクロプロセッサ又はマイクロコントローラが使用され、本発明を実現する１つ又は多数のアルゴリズムを処理する。
【００４８】
なお、単語「有する“comprise”」は他のエレメント又はステップを排除するものではなく、単語“a”又は“an”は複数を排除するものではない。さらに、請求項に於ける参照符号は、本発明の範囲を限定するものとして解釈されるものではない。
【図面の簡単な説明】
【００４９】
【図１】横方向の距離ｘの関数ｙとしてディスプレイのような平面の表面上のレーザポインタにより発生される典型的なレーザビームの投影の強度の図である。
【図２】ディスプレイスクリーンのコーナに位置される４つのフォトダイオード、及び、ディスプレイスクリーン上のレーザポインタからのレーザビーム等しい強度のラインと同様に単一のフォトダイオードにより測定される強度のラインをもつ、本発明の実施の形態の概念図である。
【図３】ディスプレイスクリーンのエッジに位置される４つのフォトダイオード、フォトダイオードにより測定される強度を処理する手段及びスクリーンで表示されるＧＵＩのカーソルの位置を制御する手段を有する本発明の更なる実施の形態の概念図である。
【図１】
2009517755.tif 000003
【図２】
2009517755.tif 000004
【図３】
2009517755.tif 000005
【国際調査報告】
2009517755.tif 000006
2009517755.tif 000007
2009517755.tif 000008